【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】  少なくとも３色のインクを用いてカラー画像を被記録媒体に記録するためのインクセットであって、
（１）溶媒中に、第１のアニオン染料と１価のアルコール化合物とを含み、該第１のアニオン染料が多価金属塩の存在下で凝集するものである第１インクと、
（２）溶媒中に、第２のアニオン染料と多価金属塩とを含み、該第２のアニオン染料が該多価金属塩の存在下でも凝集しないものである第２インクと、
（３）溶媒中に、顔料と分散剤、もしくはカチオン染料を含んでいる第３インクと、
により前記少なくとも３色のインクが構成されている
ことを特徴とするインクセット。
【請求項２】  ４色以上のインクを用いてカラー画像を被記録材に記録するために用いるインクセットであって、
（１）表面にカチオン性の親水基が直接もしくは他の原子団を介して結合している自己分散型カーボンブラックを溶媒中に含んでいる第１インクと、
（２）溶媒中に、第１のアニオン染料と１価のアルコール化合物とを含み、該第１のアニオン染料が多価金属塩の存在下で凝集するものである第２インクと、
（３）溶媒中に、第２のアニオン染料と多価金属塩とを含み、該第２のアニオン染料が該多価金属塩の存在下でも凝集しないものである第３インクと、
（４）溶媒中に、顔料と分散剤、もしくはカチオン染料を含んでいる第４インクと、
を具備し、
前記第１インクが黒インクであり、前記第２〜第４インクが他の３色を構成していることを特徴とするインクセット。
【請求項３】  ４色以上のインクを用いてカラー画像を被記録材に記録するためのインクセットであって、
（１）表面にカチオン性の親水基が直接もしくは他の原子団を介して結合している自己分散型カーボンブラックを溶媒中に含んでいる第１インクと、
（２）溶媒中に、第１のアニオン染料を含み、該第１のアニオン染料が多価金属塩の存在下で凝集するものである第２インクと、
（３）溶媒中に、第２のアニオン染料と多価金属塩とを含み、該第２のアニオン染料が該多価金属塩の存在下でも凝集しないものである第３インクと、
（４）溶媒中に１価のアルコール化合物と、カチオン染料とを含んでいる第４インクと、
を具備し、
前記第１インクが黒インクであり、前記第２〜第４インクが他の３色を構成していることを特徴とするインクセット。
【請求項４】  前記第１インクにおける前記カチオン性の親水性基が下記式から選択される少なくとも１種である請求項２または３に記載のインクセット。
【化１】
2001172536.tif 000001
（但し、式中のＲは炭素原子数１〜１２のアルキル基、置換基を有してもよいフェニル基または置換基を有してもよいナフチル基を表す。）
【請求項５】  前記他の原子団が炭素数１〜１２のアルキル基、置換基を有してもよいフェニレン基または置換基を有してもよいナフチレン基である請求項２または３に記載のインクセット。
【請求項６】  少なくとも３色のインクの各々をインクジェット法で吐出する工程を有するマルチカラー画像を形成する方法であって、該３色のインクが、請求項１に記載のインクセットを構成する第１インク、第２インク及び第３インクの各々に対応していることを特徴とするマルチカラー画像のインクジェット記録方法。
【請求項７】  少なくとも４色のインクの各々をインクジェット法で吐出する工程を有するマルチカラー画像を形成する方法であって、該４色のインクが、請求項２または３に記載のインクセットを構成する第１インク、第２インク、第３インク及び第４インクの各々に対応していることを特徴とするマルチカラー画像のインクジェット記録方法。
【請求項８】  請求項１に記載のインクセットの有する各インクをそれぞれ個々に収容するインク収容部と、各々のインク収容部に収容されているインクを吐出する為のインクジェットヘッドと、を具備していることを特徴とする記録ユニット。
【請求項９】  請求項２または３に記載のインクセットを構成する各インクをそれぞれ個々に収容するインク収容部と、各々のインク収容部に収容されているインクを吐出する為のインクジェットヘッドと、を具備していることを特徴とする記録ユニット。
【請求項１０】  請求項１に記載のインクセットの有する各インクをそれぞれ個々に収容するインク収容部と、各々のインク収容部に収容されているインクを吐出する為のインクジェットヘッドと、を具備していることを特徴とするインクジェット記録装置。
【請求項１１】  請求項２または３に記載のインクセットの有する各インクをそれぞれ個々に収容するインク収容部と、各々のインク収容部に収容されているインクを吐出する為のインクジェットヘッドと、を具備していることを特徴とするインクジェット記録装置。
【請求項１２】  少なくとも３色のインクのうちの少なくとも２色のインクを用いて形成された、異なる色の画像が隣接している領域を有するマルチカラー画像の、該領域におけるブリードを緩和する方法であって、
該３色のインクが、請求項１に記載のインクセットを構成する第１〜第３インクの各々に対応していることを特徴とするマルチカラー画像の、異色画像隣接領域のブリード緩和方法。
【請求項１３】  少なくとも４色のインクのうちの少なくとも２色のインクを用いて形成された、異なる色の画像が隣接している領域を有しているマルチカラー画像の、該領域におけるブリードを緩和する方法であって、
該４色のインクが、請求項２または３に記載のインクセットを構成する第１〜第４インクの各々に対応していることを特徴とするマルチカラー画像の、異色画像隣接領域のブリード緩和方法。
【手続補正２】
【補正対象書類名】明細書
【補正対象項目名】００９６
【補正方法】変更
【補正の内容】
【００９６】
図１２は本発明にかかるインクジェット記録装置のヘッド部における発熱抵抗体を有する電気熱変換体が基板上に形成された基体のインク流路に沿った部分断面図である。すなわち、図１２における電極配線を構成する電極層2005の２つの対向する端部間に位置する発熱抵抗体層2004の電極層で覆われていない部分が発熱抵抗体を形成する。
【手続補正３】
【補正対象書類名】明細書
【補正対象項目名】００９７
【補正方法】変更
【補正の内容】
【００９７】
上記ヘッド１３の電極１７−１及び１７−２にパルス状の電気信号が印加されると、発熱素子基板１５のｎで示される領域（ヒーター）が急速に発熱し、この表面に接しているインク２１に気泡が発生し、その圧力でメニスカス２３が突出し、インク２１がヘッドのノズル１４を通して吐出し、吐出オリフィス２２よりインク小滴２４となり、被記録材２５に向かって飛翔する。図３には、図１に示したヘッドを多数並べたマルチヘッドの一例の外観図を示す。このマルチヘッドは、マルチノズル２６を有するポリサルホン２７と、図１に説明したものと同じような発熱ヘッド２８を接着して作られている。
【手続補正４】
【補正対象書類名】明細書
【補正対象項目名】００９８
【補正方法】変更
【補正の内容】
【００９８】
図１２において、2001はシリコン基板、2002は熱酸化膜からなる蓄熱層を示すものであり、2003は、蓄熱を兼ねるＳｉＯ膜、ＳｉＮ膜等からなる層間膜、2004は発熱抵抗体層、2005はＡｌ、Ａｌ−Ｓｉ、Ａｌ−Ｃｕ等の金属材料からなる配線としての電極層、2006はＳｉＯ膜、ＳｉＮ膜等からなる絶縁層としても機能する保護層を示す。2007は、発熱抵抗体の発熱に伴う化学的、物理的衝撃から保護膜2006を守るための上部保護層である。また、2008は発熱抵抗体層2004の発熱抵抗体で発生した熱がインクに作用する熱作用部である。
【手続補正５】
【補正対象書類名】明細書
【補正対象項目名】図面の簡単な説明
【補正方法】変更
【補正の内容】
【図面の簡単な説明】
【図１】インクジェット記録装置のヘッドの一例を示す縦断面図である。
【図２】インクジェット記録装置のヘッドの一例を示す横断面図である。
【図３】図１に示したヘッドをマルチ化したヘッドの外観斜視図である。
【図４】インクジェット記録装置の一例を示す概略斜視図である。
【図５】インクカートリッジの一例を示す縦断面図である。
【図６】記録ユニットの一例を示す斜視図である。
【図７】力学的エネルギーを利用したインクジェット記録ヘッドの構成の一例を示す概略断面図である。
【図８】複数の記録ヘッドが配列した記録部を示した斜視図である。
【図９】本発明に使用する別の記録ヘッドの斜視図である。
【図１０】記録ヘッドの第１の構成例を示す図である。
【図１１】記録ヘッドの第２の構成例を示す図である。
【図１２】記録ヘッドの基体のインク流路に沿った部分断面図である。
【符号の説明】
１３  ヘッド
１４  インク溝（ノズル）
１５  発熱素子基板
１６−１  保護層
１６−２  最表面保護層
１７−１，１７−２  電極
１８  発熱抵抗体層
１９  蓄熱層
２０  基板
２１  インク
２２  吐出オリフィス（微細孔）
２３  メニスカス
２４  インク小滴
２５  被記録材
２６  マルチ溝（ノズル）
２７  板
２８  発熱ヘッド
４０  インク袋
４２  栓
４３  キャリッジ
４４  インク吸収体
４５  インクカートリッジ
５１  給紙部
５２  紙送りローラー
５３  排紙ローラー
６１  ブレード
６２  キャップ
６３  インク吸収体
６４  吐出回復部